(57)【要約】【課題】雨などの水、汚水または泥及びそれらによる腐食が侵入しないローラ手段を提供しようとすることを目的とする。【解決手段】コンベアに使用され、他の複数のローラ手段と列になって物を積載し輸送するローラ手段であって、ローラ本体と、前記ローラ本体をほぼ軸線に沿って貫通する上、その両端近くに取り付けられている一対の軸受けによりその上に回転可能に支持している支持軸と、前記支持軸の、その前記軸受けを通してから前記ローラ本体の両端面から突出している両端部に外嵌していてそれらを介して前記支持軸を両端からローラ手段の支持枠に支持させる一対の保護鞘と、前記ローラ本体と各保護鞘とに挟まれながらそれらの間にある隙間を緊迫的に塞いでいる一対のシール手段とからなっているローラ手段を提供する。【選択図】図１
0003134114.tif 000002
【実用新案登録請求の範囲】
【請求項１】
コンベアに使用され、他の複数のローラ手段と列になって物を積載しながら輸送するローラ手段であって、
ローラ本体と、
前記ローラ本体をほぼ軸線に沿って貫通する上、その両端近くに取り付けられている一対の軸受けによりその上に回転可能に支持している支持軸と、
前記支持軸の、その前記軸受けを通してから前記ローラ本体の両端面から突出している両端部に外嵌していてそれらを介して前記支持軸を両端からローラ手段の支持枠に支持させる一対の保護鞘と、
前記ローラ本体と各保護鞘とに挟まれながらそれらの間にある隙間を緊迫的に塞いでいる一対のシール手段とからなっていることを特徴とするローラ手段。
【請求項２】
前記シール手段は、いずれも、
その本体部が前記ローラ本体とそれに対応する保護鞘とに挟まれており、その一部が前記本体部から伸びて前記支持軸に緊迫的な外嵌となっている第１シールリングと、
前記第１シールリングの内側にあって、前記ローラ本体と前記支持軸とに挟まれてそれらの間にある隙間を緊迫的に塞いでいる第２シールリングと、
前記第１シールリングと前記第２シールリングとの間に挟まれながら前記ローラ本体に緊迫的に当接している第３シールリングとからなっていることを特徴とする請求項１に記載のローラ手段。
【請求項３】
前記第１シールリングの前記一部は、更に前記保護鞘と前記支持軸との間の隙間の端縁近く内に延びながら前記本体部と合わせて嵌合溝となり前記保護鞘を係止した端縁部があり、
前記第１シールリング及び前記第２シールリングそれぞれの相対面に、相対相手へ向かっている複数の突出体があり、
また、前記第３シールリングは、前記第１シールリングと前記第２シールリングとの間の空間を緊迫的に塞ぐ形状となっていることを特徴とする請求項２に記載のローラ手段。
【請求項４】
前記ローラ本体は円筒体であって、その両端面の前記支持軸に貫通された箇所及び該箇所の周りが窪みとなっており、
前記シール手段及び前記軸受けは該窪みの中に設けられており、
前記保護鞘は外から該窪みのなかに延びていることを特徴とする請求項１に記載のローラ手段。
【請求項５】
前記保護鞘の前記支持軸に対する外嵌は、非円形嵌合となっており、
また、前記保護鞘には、前記ローラ手段の支持枠と嵌合して前記支持軸を前記支持枠に支持させるための装着溝が設けてあることを特徴とする請求項１に記載のローラ手段。
【請求項６】
前記支持軸は、軸本体と該軸本体における両端面の中心近くからそれぞれ突出している一対の軸芯部とからなっており、
前記軸本体の両端近くにそれぞれ環状溝が設けてあり、
また、前記支持軸の両端部に外嵌となっている保護鞘は、その末梢が前記環状溝を乗り越えており、前記第１シールリングの前記端縁部は弾性的なものであって前記環状溝に入っていることを特徴とする請求項３に記載のローラ手段。
【考案の詳細な説明】
【技術分野】
【０００１】
この考案は、ローラ手段に関し、特に、コンベアに使用され、他の複数のローラ手段と列になって物を積載しながら輸送するローラ手段に関する。
【背景技術】
【０００２】
従来のコンベアは様様あるが、複数のローラ手段が列に並んでいて物をそれらの上に積載しながら輸送するのがその基本機構であり、例えばローラコンベアはそうであり、また、前記物の一つとして前記基本機構に無端ベルトが巡回可能に掛け渡されていて該無端ベルトの上に他の物を積載しながら輸送するのが、ベルトコンベアである。
【０００３】
図５に示されているのは、砂糖黍、砂利、石炭などを運ぶベルトコンベアである。図中における６は支持枠であり、５はローラ手段列であり、７は無端ベルトである。図示のローラ手段列５は、中間列と、前記中間列の左右に前記中間列と合わせてややチャネル形を形成するように並んでいる一対のサイド列とを含んでいるが、いずれの列も前記支持枠１に支持されて前記基本機構となっている。
このようなベルトコンベアは、通常、戸外に使用されるので、雨や砂など異物の、そのローラ手段５０における支持軸５０１とローラ本体５０２との間の隙間への侵入を防ぐために、前記隙間がシール手段で塞がれているローラ手段５０が採用されている。しかし、いくら良いシール手段付ローラ手段が採用されていても、戸外に使用されると、やはり壊れやすくなる。その原因を調べると、雨などの水、汚水または泥が、支持軸５０１の、ローラ本体５０２の両端面から突出している両端部を汚したら、その箇所を腐食するばかりでなく、腐食はその箇所をつてにシール手段の内部にも侵入することが分かった。
【考案の開示】
【考案が解決しようとする課題】
【０００４】
前記問題点を解決するために、本考案は、雨などの水、汚水または泥及びそれらによる腐食が侵入しないローラ手段を提供しようとすることを目的とする。
【課題を解決するための手段】
【０００５】
前記目的を達成するために、本考案は、コンベアに使用され、他の複数のローラ手段と列になって物を積載しながら輸送するローラ手段であって、ローラ本体と、前記ローラ本体をほぼ軸線に沿って貫通する上、その両端近くに取り付けられている一対の軸受けによりその上に回転可能に支持している支持軸と、前記支持軸の、その前記軸受けを通してから前記ローラ本体の両端面から突出している両端部に外嵌していてそれらを介して前記支持軸を両端からローラ手段の支持枠に支持させる一対の保護鞘と、前記ローラ本体と各保護鞘とに挟まれながらそれらの間にある隙間を緊迫的に塞いでいる一対のシール手段とからなっているローラ手段を提供する。
【考案の効果】
【０００６】
前記構成によるローラ手段は、前記支持軸の、その前記軸受けを通してから前記ローラ本体の両端面から突出している両端部に外嵌していてそれらを介して前記支持軸を両端からローラ手段の支持枠に支持させる一対の保護鞘を有するので、雨などの水、汚水または泥はその支持軸の両端部、ないし該両端部をつてにその内部に侵入して汚したり腐食したりしない。
【考案を実施するための最良の形態】
【０００７】
以下、図１〜図４を参照しながら、本考案のローラ手段の好ましい実施形態の一例を説明する。
本考案のローラ手段は、従来のベルトコンベアやローラコンベアなどのコンベアに使用され、他の複数のローラ手段と列になって物を積載しながら輸送するものである。
図１と図４に示すように、このローラ手段は主に、ローラ本体１と、支持軸２と、一対の保護鞘３、３と、一対のシール手段４、４とからなっている。
ローラ本体１は、プラスチック材製の円筒体であって、その軸方向にある両端面の中心当たりが筒内へ窪んで窪み１１、１１となっている。この例において前記プラスチック材としては、ポリエチレン繊維強化プラスチックが使用された。
【０００８】
支持軸２は、カーボンスチール製であり、主に、両端近くにそれぞれ環状溝２３、２３が設けてある軸本体２０と、該軸本体２０の軸方向にある両端面の中心近くからそれぞれ軸方向に外へと突出している一対の非円形の軸芯部２１、２１とからなっている。この支持軸２は、ローラ本体１をほぼ軸線Ｌに沿って貫通してから窪み１１、１１を通過して突出する上、その軸本体２０の両端近くに取り付けられている一対の軸受け２２、２２によりその上に回転可能に支持している。もっと詳しくみると、一対の軸受け２２、２２は、それぞれと対応する窪み１１内のもっとも奥の方に設けられており、一対の環状溝２３、２３は、それぞれと対応する窪み１１内のほぼもっとも外の方に設けられている。
即ち、ローラ本体１における両端面の、支持軸２が貫通した箇所及び該箇所の周りは、窪み１１、１１となっている。環状溝２３と軸受け２２は、それぞれ窪み１１内の外近く及び奥近くに位置している。
【０００９】
そして、一対の保護鞘３、３は、支持軸２の、軸受け２２、２２を通してから窪み１１、１１を通過して突出している両端部に外嵌している。もっと詳しくみると、保護鞘３の支持軸２に対する外嵌は、外からそれぞれと対応する窪み１１のなかに延びてその末梢３１が環状溝２３を乗り越えており、また、保護鞘３の軸芯部２１に対する外嵌は、図２に示すように非円形嵌合となっている。
そして、図３をも参照してみると、保護鞘３の外周には、ローラ手段を支持するための支持枠６と嵌合して支持軸２を該支持枠６に支持させるための装着溝３０が設けてあるので、一対の保護鞘３、３を介して支持軸２を両端からローラ手段の支持枠６に支持させることができる。保護鞘３は、前記ローラ本体１と同じようにプラスチック材製のものであって、且つこの例において該プラスチック材としては、ポリエチレン繊維強化プラスチックが使用された。
また、図４をも参照してみると、一対のシール手段４、４は、それぞれと対応する窪み１１の中に、ローラ本体１と各保護鞘３とに挟まれながらそれらの間にある隙間を緊迫的に塞いでいる。シール手段４、４は、いずれも、第１シールリング４０と、第２シールリング４１と、第３シールリング４２とからなっている。
【００１０】
第１シールリング４０は、その本体部４００がローラ本体１とそれに対応する保護鞘３とに挟まれており、その一部４０１が本体部４００から伸びて支持軸２の軸本体２０に緊迫的な外嵌となっている。また、前記一部４０１は、更に保護鞘３と支持軸２の軸本体２０との間の隙間の端縁近くにある環状溝２３内に延びながら前記本体部４００と合わせて嵌合溝４０３となり前記保護鞘３を係止した弾性的な端縁部４０２がある。
第２シールリング４１は、第１シールリング４０の内側にあって、ローラ本体１と支持軸２の軸本体２０とに挟まれてそれらの間にある隙間を緊迫的に塞いでいる。また、第１シールリング４０及び第２シールリング４１それぞれの相対面に、相対相手へ向かっている複数の突出体４０４、４１０がある。
【００１１】
第３シールリング４２は、第１シールリング４０と第２シールリング４１との間に挟まれながらローラ本体１に緊迫的に当接している。また、該第３シールリング４２は、第１シールリング４０と第２シールリング４２との間の空間を緊迫的に塞ぐ形状となっており、つまり、それにより、第１シールリング４０、第２シールリング４１及び第３シールリング４２それぞれの間にある隙間がラビリンスのようになっていて異物の通過がほぼ不可能になる。
以上、本考案の好適な実施形態例について説明したが、本考案は前記実施形態例に限定して狭義に解釈されるものではなく、本考案の思想の範囲内において種々の変形や変更が可能である。
【産業上の利用可能性】
【００１２】
以上、実施形態例で詳細に説明したように、本考案のローラ手段は、前記シール手段と前記保護鞘との相乗効果で雨などの水、汚水または泥及びそれらによる腐食が侵入しなく、寿命が長くなる。
【図面の簡単な説明】
【００１３】
【図１】図１は、本考案のローラ手段の断面構成図である。
【図２】図２は、図１における線Ａ−Ａに沿う断面図である。
【図３】図３は、本考案のローラ手段における保護鞘の斜視図である。
【図４】図４は、本考案のローラ手段における要部の断面拡大図である。
【図５】図５は、従来のローラ手段が使用されているコンベアの側面図である。
【符号の説明】
【００１４】
１      ローラ本体
１１    窪み
２      支持軸
２０    軸本体
２１    軸芯部
２２    軸受け
２３    環状溝
３      保護鞘
３０    装着溝
３１  （保護鞘の）末梢
４      シール手段
４０    第１シールリング
４００  本体部
４０１（本体部の）一部
４０２  端縁部
４０３  嵌合溝
４０４  突出体
４１    第２シールリング
４１０  突出体
４２    第３シールリング
６      支持枠
Ｌ      軸線
【図１】
0003134114.tif 000003
【図２】
0003134114.tif 000004
【図３】
0003134114.tif 000005
【図４】
0003134114.tif 000006
【図５】
0003134114.tif 000007